【手続補正書】
【提出日】平成18年3月17日(2006.3.17)
【手続補正１】
【補正対象書類名】明細書
【補正対象項目名】発明の名称
【補正方法】変更
【補正の内容】
【発明の名称】ネットワーク・コンフィギュレーションシステムおよびＩＰノードおよびホームゲートウェイ
【手続補正２】
【補正対象書類名】明細書
【補正対象項目名】特許請求の範囲
【補正方法】変更
【補正の内容】
【特許請求の範囲】
【請求項１】  公衆インターネットとホームゲートウェイを介して相互接続されるホームネットワークに接続されるＩＰノードのネットワーク・コンフィギュレーションシステムにおけるＩＰノードであって、
前記ＩＰノードは、
認証情報とホームゲートウェイのアドレスを記録したカード状記録媒体が装着されたとき前記認証情報を読み取る手段と、
前記読み取った認証情報を暗号化して前記読み取ったホームゲートウェイのアドレスのホームゲートウェイに送信する手段と、
前記ホームゲートウェイから送信された前記認証情報の正当性の判断結果について正当であると判断されたときは当該ＩＰノードをネットワーク・コンフィギュレーションする手段とを、
有することを特徴とするネットワーク・コンフィギュレーションシステムのＩＰノード。
【請求項２】  請求項１に記載のネットワーク・コンフィギュレーションシステムのＩＰノードにおいて、
前記ＩＰノードは、
当該ＩＰノードから入力されたパスワードを前記ホームゲートウェイに送信する手段と、
前記ホームゲートウェイから送信された前記認証情報の正当性の判断結果について正当であると判断され、かつ前記ホームゲートウェイから送信された前記パスワードの一致性の判断結果について一致していると判断されたときは、当該ＩＰノードをネットワーク・コンフィギュレーションする手段とを、
有することを特徴とするネットワーク・コンフィギュレーションシステムのＩＰノード。
【請求項３】  公衆インターネットとホームゲートウェイを介して相互接続されるホームネットワークに接続されるＩＰノードのネットワーク・コンフィギュレーションシステムにおけるホームゲートウェイであって、
前記ホームゲートウェイは、
前記ＩＰノードが当該ＩＰノードに装着されたカード状記録媒体から読み取り暗号化して送信してきた認証情報を復号化し、当該ホームゲートウェイが記憶している認証用情報と照合して認証情報の正当性を判断する手段と、
前記ＩＰノードに対してネットワーク・コンフィギュレーションの許可／不許可を通知するために、前記ＩＰノードに前記認証情報の正当性の判断結果を送信する手段とを、
有することを特徴とするネットワーク・コンフィギュレーションシステムのホームゲートウェイ。
【請求項４】  請求項３に記載のネットワーク・コンフィギュレーションシステムのホームゲートウェイのホームゲートウェイにおいて、
前記ホームゲートウェイは、前記ＩＰノードより送信されたパスワードを当該ホームゲートウェイが記憶している記憶パスワードと対比してパスワードの一致性を判断する手段と、
前記ＩＰノードに対してネットワーク・コンフィギュレーションの許可／不許可を通知するために、前記ＩＰノードに前記認証情報の正当性の判断結果および前記パスワードの一致性の判断結果を送信する手段とを、
有することを特徴とするネットワーク・コンフィギュレーションシステムのホームゲートウェイ。
【請求項５】  公衆インターネットとホームゲートウェイを介して相互接続されるホームネットワークと、前記公衆インターネットとゲートウェイを介して相互接続されるネットワークに接続されるＩＰノードのネットワーク・コンフィギュレーションシステムにおけるＩＰノードであって、
前記ＩＰノードは、
認証情報とホームゲートウェイのアドレスを記録したカード状記録媒体が装着されたとき前記認証情報を読み取る手段と、
前記読み取った認証情報を暗号化して前記読み取ったホームゲートウェイのアドレスのホームゲートウェイに送信する手段と、
前記ホームゲートウェイから送信された前記認証情報の正当性の判断結果について正当であると判断されたときは当該ＩＰノードをネットワーク・コンフィギュレーションする手段とを、
有することを特徴とするネットワーク・コンフィギュレーションシステムのＩＰノード。
【請求項６】  請求項５に記載のネットワーク・コンフィギュレーションシステムのＩＰノードにおいて、
前記ＩＰノードは、
当該ＩＰノードから入力されたパスワードを前記ホームゲートウェイに送信する手段と、
前記ホームゲートウェイから送信された前記認証情報の正当性の判断結果について正当であると判断され、かつ前記ホームゲートウェイから送信された前記パスワードの一致性の判断結果について一致していると判断されたときは、当該ＩＰノードをネットワーク・コンフィギュレーションする手段とを、
有することを特徴とするネットワーク・コンフィギュレーションシステムのＩＰノード。
【請求項７】  公衆インターネットとホームゲートウェイを介して相互接続されるホームネットワークと、前記公衆インターネットとゲートウェイを介して相互接続されるネットワークに接続されるＩＰノードのネットワーク・コンフィギュレーションシステムにおけるホームゲートウェイであって、
前記ホームゲートウェイは、
前記ＩＰノードが当該ＩＰノードに装着されたカード状記録媒体から読み取り暗号化して送信してきた認証情報を復号化し、当該ホームゲートウェイが記憶している認証用情報と照合して認証情報の正当性を判断する手段と、
前記ＩＰノードに対してネットワーク・コンフィギュレーションの許可／不許可を通知するために、前記ＩＰノードに前記認証情報の正当性の判断結果を送信する手段とを、
有することを特徴とするネットワーク・コンフィギュレーションシステムのホームゲートウェイ。
【請求項８】  請求項７に記載のネットワーク・コンフィギュレーションシステムのホームゲートウェイのホームゲートウェイにおいて、
前記ホームゲートウェイは、前記ＩＰノードより送信されたパスワードを当該ホームゲートウェイが記憶している記憶パスワードと対比してパスワードの一致性を判断する手段と、
前記ＩＰノードに対してネットワーク・コンフィギュレーションの許可／不許可を通知するために、前記ＩＰノードに前記認証情報の正当性の判断結果および前記パスワードの一致性の判断結果を送信する手段とを、
有することを特徴とするネットワーク・コンフィギュレーションシステムのホームゲートウェイ。
【請求項９】  公衆インターネットとホームゲートウェイを介して相互接続されるホームネットワークに接続されるＩＰノードのネットワーク・コンフィギュレーションシステムにおいて、
前記ＩＰノードは、認証情報とホームゲートウェイのアドレスを記録したカード状記録媒体が装着されたとき前記認証情報を読み取る手段と、前記読み取った認証情報を暗号化して前記読み取ったホームゲートウェイのアドレスのホームゲートウェイに送信する手段と、前記ホームゲートウェイから送信された前記認証情報の正当性の判断結果について正当であると判断されたときは当該ＩＰノードをネットワーク・コンフィギュレーションする手段とを有し、前記ホームゲートウェイは、前記送信された認証情報の暗号化を復号化し、当該ホームゲートウェイが記憶している認証用情報と照合して認証情報の正当性を判断する手段と、前記ＩＰノードに前記認証情報の正当性の判断結果を送信する手段とを有することを特徴とするネットワーク・コンフィギュレーションシステム。
【請求項１０】  公衆インターネットとホームゲートウェイを介して相互接続されるホームネットワークに接続されるＩＰノードのネットワーク・コンフィギュレーションシステムにおいて、
前記ＩＰノードは、認証情報とホームゲートウェイのアドレスを記録したカード状記録媒体が装着されたとき前記認証情報を読み取る手段と、前記読み取った認証情報を暗号化して前記読み取ったホームゲートウェイのアドレスのホームゲートウェイに送信する手段と、当該ＩＰノードから入力されたパスワードを前記ホームゲートウェイに送信する手段と、前記ホームゲートウェイから送信された前記認証情報の正当性の判断結果について正当であると判断され、かつ前記ホームゲートウェイから送信された前記パスワードの一致性の判断結果について一致していると判断されたときは当該ＩＰノードをネットワーク・コンフィギュレーションする手段とを有し、前記ホームゲートウェイは、前記送信された認証情報の暗号化を復号化し、当該ホームゲートウェイが記憶している認証用情報と照合して認証情報の正当性を判断すると共に、前記送信されたパスワードを当該ホームゲートウェイが記憶している記憶パスワードと対比してパスワードの一致性を判断する手段と、前記ＩＰノードに前記認証情報の正当性の判断結果および前記パスワードの一致性の判断結果を送信する手段とを有することを特徴とするネットワーク・コンフィギュレーションシステム。
【請求項１１】  公衆インターネットとホームゲートウェイを介して相互接続されるホームネットワークと、前記公衆インターネットとゲートウェイを介して相互接続されるネットワークに接続されるＩＰノードのネットワーク・コンフィギュレーションシステムにおいて、
前記ＩＰノードは、認証情報とホームゲートウェイのアドレスを記録したカード状記録媒体が装着されたとき前記認証情報を読み取る手段と、前記読み取った認証情報を暗号化して前記読み取ったホームゲートウェイのアドレスのホームゲートウェイに送信する手段と、前記ホームゲートウェイから送信された前記認証情報の正当性の判断結果について正当であると判断されたときは当該ＩＰノードをネットワーク・コンフィギュレーションする手段とを有し、前記ホームゲートウェイは、前記送信された認証情報の暗号化を復号化し、当該ホームゲートウェイが記憶している認証用情報と照合して認証情報の正当性を判断する手段と、前記ＩＰノードに前記認証情報の正当性の判断結果を送信する手段とを有することを特徴とするネットワーク・コンフィギュレーションシステム。
【請求項１２】  公衆インターネットとホームゲートウェイを介して相互接続されるホームネットワークと、前記公衆インターネットとゲートウェイを介して相互接続されるネットワークに接続されるＩＰノードのネットワーク・コンフィギュレーションシステムにおいて、
前記ＩＰノードは、認証情報とホームゲートウェイのアドレスを記録したカード状記録媒体が装着されたとき前記認証情報を読み取る手段と、前記読み取った認証情報を暗号化して前記読み取ったホームゲートウェイのアドレスのホームゲートウェイに送信する手段と、当該ＩＰノードから入力されたパスワードを前記ホームゲートウェイに送信する手段と、前記ホームゲートウェイから送信された前記認証情報の正当性の判断結果について正当であると判断され、かつ前記ホームゲートウェイから送信された前記パスワードの一致性の判断結果について一致していると判断されたときは当該ＩＰノードをネットワーク・コンフィギュレーションする手段とを有し、前記ホームゲートウェイは、前記送信された認証情報の暗号化を復号化し、当該ホームゲートウェイが記憶している認証用情報と照合して認証情報の正当性を判断すると共に、前記送信されたパスワードを当該ホームゲートウェイが記憶している記憶パスワードと対比してパスワードの一致性を判断する手段と、前記ＩＰノードに前記認証情報の正当性の判断結果および前記パスワードの一致性の判断結果を送信する手段とを有することを特徴とするネットワーク・コンフィギュレーションシステム。
【手続補正３】
【補正対象書類名】明細書
【補正対象項目名】０００１
【補正方法】変更
【補正の内容】
【０００１】
【発明の属する技術分野】
本発明は、ＩＰネットワーク上に接続される任意のＩＰノードを、所望のＩＰノードとして容易にコンフィギュレーションすることを可能にしたネットワーク・コンフィギュレーションシステムにかかわる技術に関する。
【手続補正４】
【補正対象書類名】明細書
【補正対象項目名】０００７
【補正方法】変更
【補正の内容】
【０００７】
【課題を解決するための手段】
上記の課題を解決するために、本発明による代表的な１つの発明では、公衆インターネットとホームゲートウェイを介して相互接続されるホームネットワークに接続されるＩＰノードのネットワーク・コンフィギュレーションシステムにおいて、前記ＩＰノードは、認証情報とホームゲートウェイのアドレスを記録したカード状記録媒体が装着されたとき前記認証情報を読み取る手段と、前記読み取った認証情報を暗号化して前記読み取ったホームゲートウェイのアドレスのホームゲートウェイに送信する手段と、前記ホームゲートウェイから送信された前記認証情報の正当性の判断結果について正当であると判断されたときは当該ＩＰノードをネットワーク・コンフィギュレーションする手段とを有し、前記ホームゲートウェイは、前記送信された認証情報の暗号化を復号化し、当該ホームゲートウェイが記憶している認証用情報と照合して認証情報の正当性を判断する手段と、前記ＩＰノードに前記認証情報の正当性の判断結果を送信する手段とを有することを特徴とする。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００３４
【補正方法】変更
【補正の内容】
【００３４】
【発明の効果】
本発明によれば、カード状記憶媒体は小型軽量に構成できるので、ユーザはこのカード状記憶媒体を持ち歩くことが可能となり、ユーザは、ＩＰネットワーク上の任意のＩＰノードにこのカード状記憶媒体を装着することにより、ホームネットワークまたはホームネットワーク以外のネットワークに接続されているＩＰノードを自動的にネットワーク・コンフィギュレーションすることができる。
【手続補正１０】
【補正対象書類名】明細書
【補正対象項目名】００３６
【補正方法】変更
【補正の内容】
【００３６】
また、ネットワーク・コンフィギュレーションの要件としてパスワードも付加することにより、カード状記憶媒体の紛失時等の不正使用を防止することができる。